(57)【要約】【課題】  従来のめんこの遊び方を超えて、より多様化した遊びができる新たな跳躍玩具を提供する。【解決手段】  跳躍玩具は、円形の基板１２と、その裏面側に直径方向の軸部１６を中心として回動自在に取り付けた半円形の可動板１３と、可動板１３を基板１２の裏面上の一方の半円部分側に位置するように力を加える付勢部材２３とを備える。基板１２は、可動板１３の軸部１６の両端を軸部１６と直交する方向に移動可能に支持する軸孔と、基板１２の裏面上の他方の半円部分側に付勢部材２３の力に抗して可動板１３を係止する係止部１２ａとを有する。【選択図】  図３
2012161575.tif 000002
【特許請求の範囲】
【請求項１】
円形の基板（１２）と、その裏面側に直径方向の軸部（１６）を中心として回動自在に取り付けた半円形の可動板（１３）と、該可動板（１３）を前記基板（１２）の裏面上の一方の半円部分側に位置するように力を加える付勢部材（２３）とを備え、
前記基板（１２）は、前記可動板（１３）の軸部（１６）の両端を該軸部と直交する方向に所定間隔移動可能に支持する軸孔と、該基板（１２）の裏面上の他方の半円部分側に前記付勢部材（２３）の力に抗して前記可動板（１３）を係止する係止部（１２ａ）とを有し、
前記係止部（１２ａ）により前記可動板（１３）を係止した状態で前記基板（１２）に対し、前記可動板（１３）の軸部（１６）の両端が前記軸孔内で該軸部（１６）と直交する方向にずれるように力を加えたときに前記可動板（１３）の係止が解除され、前記付勢部材（２３）の力により前記可動板（１３）が回動して前記基板（１２）を置いた平面から跳躍することを特徴とする跳躍玩具。
【請求項２】
前記付勢部材は、前記基板（１２）の表面側で前記可動板（１３）の軸部（１６）と直交する直径方向の位置に設けた突起部（１８）と前記可動板（１３）の中心部に設けた突起部（２４）とに掛け止めたスプリング（２３）であることを特徴とする請求項１記載の跳躍玩具。
【請求項３】
請求項１又は２に記載の跳躍玩具において、
前記基板（１２）の表面側に重ね合わせて結合される同形の円板（１１）を備え、該円板（１１）の裏面側の直径方向の両端となる位置に突起部（１４ａ、１４ｂ）が設けられる一方、前記基板（１２）の表面側の直径方向両端の位置に前記円板（１１）の突起部（１４ａ、１４ｂ）が嵌合する開孔（１５ａ、１５ｂ）が設けられ、該開孔（１５ａ、１５ｂ）内に前記突起部（１４ａ、１４ｂ）が嵌合することにより、前記可動板（１３）の軸部（１６）の両端を回転可能に支持する軸孔が形成されることを特徴とする跳躍玩具。
【発明の詳細な説明】
【技術分野】
【０００１】
本発明は、めんこ等の遊びやゲームができる跳躍玩具に関する。
【背景技術】
【０００２】
子供の遊びで用いられるめんこは、表面に絵や図形を描いた円形や長方形の厚紙等のシートからなり、その一般的な遊び方は、平らな地面や台上に置いためんこに対して別のめんこを打ち付け、先のめんこを裏返せば勝ちとするものである。このようなめんこ遊びの多様な楽しみ方を可能にするものとして、表面に互いに関連性を有する異なった絵、図形、文字等の表示を施した複数のめんこのうちの一部を、他のめんこよりも比重が大きくなるように形成しためんこセットが提案されている（特許文献１）。
【先行技術文献】
【特許文献】
【０００３】
【特許文献１】特開２００３−１２６５６５号公報
【発明の概要】
【発明が解決しようとする課題】
【０００４】
しかしながら、上記のめんこセットにしても、１つのめんこを他のめんこに打ち付けて裏返すという従来の遊び方を越えるものではない。
【０００５】
本発明は、上記のようなめんこの遊び方に留まらず、めんこの当て方次第で１以上のめんこを跳躍させてひっくり返すことができるようにすることで、遊び方をよりダイナミックに多様化させる新たな玩具を提供することを目的とする。
【課題を解決するための手段】
【０００６】
本発明は、円形の基板と、その裏面側に直径方向の軸部を中心として回動自在に取り付けた半円形の可動板と、該可動板を前記基板の裏面上の一方の半円部分側に位置するように力を加える付勢部材とを備えた跳躍玩具であって、
前記基板は、前記可動板の軸部の両端を該軸部と直交する方向に所定間隔移動可能に支持する軸孔と、当該基板の裏面上の他方の半円部分側に前記付勢部材の力に抗して前記可動板を係止する係止部とを有し、
前記係止部により前記可動板を係止した状態で前記基板に対し、前記可動板の軸部の両端が前記軸孔内で該軸部と直交する方向にずれるように力を加えたときに前記可動板の係止が解除され、前記付勢部材の力により前記可動板が回動して前記基板を置いた平面から跳躍することを特徴とする。
【０００７】
本発明によれば、跳躍玩具が係止部により可動板を係止した状態のとき、例えば、同様な形状の円盤をある値以上の力で基板に衝突させると、その衝撃で移動する基板の軸孔内で可動板の軸部の両端が軸部と直交する方向にずれるので、可動板の係止が解除される。その結果、付勢部材の力により可動板が瞬間的に回動し、基板を置いた平面を蹴る。その反力によって基板が跳ね上げられるため、玩具全体が跳躍し、宙返りする動作を行う。
【０００８】
従って、本発明の跳躍玩具を使用すれば、従来のめんこのように、同じ形状の玩具を当てて裏返す遊びをすることができる。更に、めんことしての遊び方に限らず、本発明の玩具を予め定めた位置や領域に着地させることができるかを競ったり、本発明の玩具を複数並べていくつ裏返すことができるかを競うゲームを行うことができる。このように、玩具同士の当て方次第で１以上の玩具を跳躍させてひっくり返すことができるので、従来のめんこ遊びを超えて、よりダイナミックに多様化した遊びを実現できる。
【０００９】
なお、本発明の玩具の形態は、基板と可動板がそれぞれ円や半円形であることが最も良いが、楕円や多角形であってもよい。従って、本発明でいう「円形」には楕円や多角形も含まれる。
【００１０】
また、本発明の玩具においては、上記の付勢部材として、基板の表面側で可動板の軸部と直交する直径方向の位置に設けた突起部と可動板の中心部に設けた突起部とに掛け止めたスプリングを用いることができる。或いは、付勢部材は輪ゴムでもよい。
【００１１】
更に、本発明の玩具においては、前記基板の表面側に重ね合わせて結合される同形の円板を備え、該円板の裏面側の直径方向両端となる位置に突起部を設ける一方、前記基板の表面側の直径方向両端の位置に前記円板の突起部が嵌合する開孔を設け、該開孔内に前記突起部を嵌合させることにより、前記可動板の軸部の両端を回転可能に支持する軸孔を形成することができる。
【００１２】
この構成によれば、基板の表面側に円板を結合するときの位置合わせが容易にできることに加えて、結合と同時に軸孔が形成されるので、本発明の玩具を構成する円盤を容易に組み立てることができる。
【図面の簡単な説明】
【００１３】
【図１】実施形態の跳躍玩具とその使用状態を示す図。
【図２】実施形態の跳躍玩具の構成を示す図。
【図３】実施形態の跳躍玩具の各部の構成を示す図。
【発明を実施するための形態】
【００１４】
図１（Ａ）〜（Ｅ）に示す実施形態の跳躍玩具は、後述する２枚の円板１１及び１２を重ね合わせた円盤１で形成されている。その直径は、例えば凡そ５ｃｍとする。
【００１５】
この円盤１からなる跳躍玩具は、（Ａ）机やテーブルの表面等の平面１０上に置いて同形の別の円盤２を突き当てると、（Ｂ）その当った位置と円盤２から加えられた力の大きさに応じて、（Ｃ）円盤１の裏面側の円板１２に取り付けた半円形の跳ね上げ板１３が瞬間的に下方に回動するので、（Ｄ）円盤１全体が平面１０から跳躍し宙返りして、（Ｅ）着地するように構成されている。
【００１６】
従って、この跳躍玩具によれば、平面１０上に任意の大きさの紙等からなるシート３を置き、その中央部に（例えば十字記号で）表わした的４に円盤１が着地するように、的４の手前に置いた円盤１に突き当て用の円盤２を当てる的当て遊びやその当てた回数を競うゲームを行うことができる。
【００１７】
以下、跳躍玩具を構成する円盤１の構成と作用について詳述する。
【００１８】
図２に示すように、円盤１の表面側になる円板１１は、円形の周縁部が裏面側に若干（例えば、２ｍｍ程）張り出したフランジとして形成され、そのフランジ上の直径方向の両端となる位置に突起部１４ａ、１４ｂを備えている。各突起部１４ａ、１４ｂは、円盤１の裏面側になる円板１２の表面側の直径方向両端位置に設けられた開孔１５ａ、１５ｂにそれぞれ嵌合することにより、半円形の跳ね上げ板１３の直線部に形成された直径方向軸部１６の両端１６ａ、１６ｂを回転可能に支持する軸孔が形成される。
【００１９】
従って、基板としての円板１２の表面側にカバーとしての円板１１を結合するときの位置合わせが容易にできると共に、２つの円板１１、１２の結合と同時に軸孔が形成されるので、実施形態の円盤１を容易に組み立てることができる。
【００２０】
また、円板１１の裏面上でフランジの内側３か所に、もう１つの円板１２を固定するためにビス２０を通す孔を開けたボス２１が形成されている。これらボス２１に対応して、円板１２の表面上の３か所にビス２０をねじ止めするための孔を開けたボス２２が形成されている。
【００２１】
従って、表面側の円板１１は、裏面側の円板１２の表面を覆うカバーとして、円板１１の突起部１４ａ、１４ｂが円板１２の開孔１５ａ、１５ｂに嵌合するように円板１２の表面側に重ね合わせて、ねじ止めされる。
【００２２】
円板１２は、本発明の構成要素である基板に相当する部材であり、その中心部に、裏面側に取り付けた跳ね上げ板１３を回動させる方向に引張力を加えるコイルスプリング２３を通す開孔１７を有する。コイルスプリング２３は、本発明の構成要素である付勢部材に相当する。
【００２３】
また、円板１２は、その表面上で跳ね上げ板１３の軸部１６と直交する直径方向の端部に、コイルスプリング２３を掛止めるための突起部１８を備えている。更に、この突起部１８の直径方向外側の位置に、下記のように跳ね上げ板１３の半円形の頂点位置に設けた突起２６が入る開孔１９が形成されている。
【００２４】
一方、跳ね上げ板１３は、本発明の構成要素である可動板に相当する部材であり、その半円形の中心部に形成した開孔内に、コイルスプリング２３を掛止めるための突起部２４を備える。従って、コイルスプリング２３は、上記のように基板１２の表面側で跳ね上げ板１３の軸部１６と直交する直径方向の端部位置に設けた突起部１８と、可動板１３の中心部に設けた突起部２４との間で、円板１２の中心部にある開孔１７を通り、その両側で突起部１８と２４に掛け止められている。これにより、図２に示すように、跳ね上げ板１３が円板１２の裏面上の一方の半円部分側に引張られて位置している。
【００２５】
また、跳ね上げ板１３は、軸部１６と直交する半径方向の端縁となる半円形の頂点位置に形成した切欠き２５から裏面側に突出した突起２６を備えている（図１及び図３）。後述のように円盤１を跳躍可能な状態にセットするとき（図３（Ｃ））、この突起２６が円板１２の開孔１９内に入り、跳ね上げ板１３の半円形の頂点部分が、円板１２の周縁部の内側で開孔１９上に僅かに張り出した係止部１２ａに係止される。
【００２６】
図３は、実施形態の跳躍玩具を動作させる円盤１の詳細な構造を示す。
【００２７】
初めに、円盤１は、前述のような跳躍動作が可能な状態にセットされない限り、
図３（Ａ）に示すように、コイルスプリング２３の引張力により、円板１２の裏面上で跳ね上げ板１３がその頂点位置の突起２６を裏面側に向けた状態（以下、初期状態という）にある。このとき、跳ね上げ板１３の直径方向軸部１６の両端１６ａ，１６ｂは、それぞれ円板１２の側壁に形成された軸孔の中で円板１１の突起部１４ａ、１４ｂの先端に当接している。
【００２８】
次に、円盤１に前述のような跳躍動作をさせるには、跳ね上げ板１３の裏面側に突出した突起２６を指で掴み、コイルスプリング２３の引張力に抗して、図３（Ｂ）に示すように円板１２の裏面上で跳ね上げ板１３を引き起こしたところで、その軸部１６を支点として円板１２の開孔１９側に回動させる。そして、図３（Ｃ）に示すように、跳ね上げ板１３の突起２６が円板１２の開孔１９内に入ると共に、切欠き２５を有する先端部分が円板１２の周縁部の内側に入って、係止部１２ａに係止される。これにより、円盤１は跳躍動作が可能な状態（以下、セット状態という）となる。
【００２９】
このセット状態となった円盤１に対して、図１に示したように、平面１０上で別の円盤２が跳ね上げ板１３の係止を解除するように当たると、コイルスプリング２３の引張力により、跳ね上げ板１３が瞬間的に図３（Ａ）の初期状態に戻るまで回動し、その回動する力で平面１０を蹴る。その結果、平面１０から円盤１が離れる瞬間に跳ね上げ板１３が初期状態に戻される一方、円盤１が跳躍し宙返りして着地することになる。
【００３０】
上記のように跳ね上げ板１３の係止を解除するための条件は、図３（Ｃ）に示したセット状態において、円板１２を矢印で示す方向に移動させる力を加えることであり、それによって、跳ね上げ板１３の軸部１６の両端１６ａ，１６ｂが開孔１５ａ、１５ｂ内を相対的に移動し、跳ね上げ板１３の切欠き２５を形成した先端部分が円板１２の周縁部の係止部１２ａから外れることになる。
【００３１】
このような力は、例えば図１に示した突き当て用の円盤２を、円板１２の側面上で係止部１２ａと反対の位置（図では、星印３０を付した部位）に、矢印で示す方向からある速さ以上で衝突させることによって発生させることができる。このとき、跳ね上げ板１３の半円形の頂点部分が、円板１２の周縁部の内側に張り出した係止部１２ａから円滑に外れるようにするため、図３（Ｃ）のII−II断面図において、係止部１２ａの下側角部に当接する跳ね上げ板１３の先端部分を斜めに面取りすることが好ましい。
【００３２】
以上のとおり図示の実施形態について説明したが、本発明はこれに限定されるものではない。
【００３３】
例えば、図示の例では、円盤１を２枚の円板１１、１２を重ね合わせて構成しているが、表面側の円板１１を省略してもよい。その場合、裏面側に跳ね上げ板１３を取り付けた１枚の円板１２を基板として円盤１が構成されるが、その表面側に付勢部材としてのコイルスプリング２３やこれを掛け止める突起部１８が現れるので、これらが現れる部分をシート状のカバーで覆うことが好ましい。
【００３４】
また、円盤１の形状は、真円に限らず、楕円や円に近似する多角形であってもよい。
【００３５】
また、付勢部材はコイルスプリングに限らず、基板から可動板の軸部に巻き掛けたつるまきバネ、あるいは輪ゴムでもよい。金属製のバネに比べて、輪ゴムは耐久性で劣るが、軽くて安価という利点がある。
【符号の説明】
【００３６】
１・・・跳躍玩具の円盤、２・・・円盤、３・・・シート、４・・・的、１０・・・平面、１１，１２・・・円板、１２ａ・・・係止部、１３・・・跳ね上げ板、１４ａ，１４ｂ・・・突起部、１５ａ，１５ｂ・・・開孔、１６・・・軸部、１６ａ，１６ｂ・・・軸部の両端、１７・・・開孔、１８・・・突起部、１９・・・開孔、２０・・・ビス、２１，２２・・・ボス、２３・・・コイルスプリング、２４・・・突起部、２５・・・切欠き、２６・・・突起。
【図１】
2012161575.tif 000003
【図２】
2012161575.tif 000004
【図３】
2012161575.tif 000005